(57)【要約】【課題】既存の空調装置を大幅に変更することなくデシカント材を用いた除湿とデシカント材の再生が可能な車両用空調制御装置を提供する。【解決手段】空調風通路１１ｃ，１１ｅ内で加熱手段１４，１５の上流に配置され、基準温度未満のときに除湿し、基準温度以上のとき排湿するデシカント２１と、空調風通路１１ｃ，１１ｅの加熱手段１４，１５の上流部かつブロア１２及びデシカント２１の下流部に接続され、内気を取り入れる再生時内気取入通路２２と、空調風通路１１ｃ，１１ｅの加熱手段１４，１５の下流部とブロア１２及びデシカント２１の上流部とを連通する再生時温風通路２３と、空調風通路１１ｃ，１１ｅの再生時内気取入通路２２の上流部かつブロア１２及びデシカント２１の下流部に接続され、デシカント２１を通過した空気を車外空間１ｃに排出する再生時排湿通路２４とを備える。【選択図】図１
2015085769.tif 000002
【特許請求の範囲】
【請求項１】
車室内空間の空調を行う空調装置を制御する車両用空調制御装置であって、
車室内空間の空気を取り入れる内気取入通路と、
上記内気取入通路に接続された空調風通路と、
上記空調風通路に接続された吹出口と、
上記空調風通路内に配置されたブロアファンと、
上記空調風通路内で上記ブロアファンの下流に配置された加熱手段と、
上記空調風通路内で上記加熱手段の上流に配置され、所定の基準温度未満のときに空気中の水分を吸収し、上記基準温度以上のときに吸収した水分を排出するデシカント材と、
上記空調風通路の上記加熱手段の上流部かつ上記ブロアファン及び上記デシカント材の下流部に接続され、車室内空間の空気を取り入れる再生時内気取入通路と、
上記空調風通路の上記加熱手段の下流部と上記ブロアファン及び上記デシカント材の上流部とを連通する再生時温風通路と、
上記空調風通路の上記再生時内気取入通路の上流部かつ上記ブロアファン及び上記デシカント材の下流部に接続され、上記デシカント材を通過した空気を車外空間に排出する再生時排湿通路と、
内気循環により暖房を行うときは、上記内気取入通路を開き、上記再生時内気取入通路、上記再生時温風通路、及び上記再生時排湿通路を閉じ、所定の設定温度の空気が上記吹出口から車室内空間に吹き出されるように上記ブロアファン及び上記加熱手段を制御し、上記デシカント材を再生するときは、上記再生時内気取入通路、上記再生時温風通路、及び上記再生時排湿通路を開き、上記基準温度以上の空気が上記デシカント材に供給されるように上記ブロアファン及び上記加熱手段を制御する制御手段と、
を有することを特徴とする車両用空調制御装置。
【請求項２】
請求項１に記載の車両用空調制御装置において、
車体後部に車室内空間と車外空間とを連通するエキストラクタが配置され、
車体前部に上記再生時内気取入通路が配置されていることを特徴とする車両用空調制御装置。
【請求項３】
請求項１又は２に記載の車両用空調制御装置において、
車室内に乗員が存在しないことを検知する乗員不在検知手段を有し、
上記制御手段は、上記乗員不在検知手段で車室内に乗員が存在しないことが検知されたときに上記デシカント材を再生することを特徴とする車両用空調制御装置。
【発明の詳細な説明】
【技術分野】
【０００１】
本発明は、車室内空間の空調を行う空調装置、特に、除湿のためのデシカント材（乾燥材）を組み込んだ空調装置を制御する車両用空調制御装置に関する。
【背景技術】
【０００２】
自動車等の車両には、冷房、暖房、除湿、送風等、車室内空間の空調を行う空調装置が備えられる。このような空調装置においては、冷房時は、温湿度の高い外気（車外空間の空気）を導入せずに内気（車室内空間の空気）を循環させ、暖房時は、湿度の低い外気を導入してウインドシールドの曇りを防止するのが通例である。しかし、外気導入すると車室内温度が下がり暖房効率が低下するので、発熱量の少ない車両、例えば、熱効率の高いエンジンを搭載した車両や、エンジンが常時駆動しないハイブリッド車や、そもそもエンジンを持たない電気自動車等においては、暖房時も内気循環する場合がある。ところが、暖房時に内気循環すると除湿が問題となり、一般に、除湿はエバポレータを用いて行われるが、エバポレータを駆動するために燃費やバッテリ電力が低下するという不利益、あるいはエバポレータでいったん冷やされた空調風を加熱するので余分なヒータエネルギーが必要になるという不利益がある。
【０００３】
そこで、空調装置に除湿のためのデシカント材（乾燥材）を組み込むことが知られている。デシカント材を用いれば、除湿のための駆動力が不要となり、また空調風が冷えることも防がれる。しかし、デシカント材は吸湿能力に限界があるため、すなわち飽和するため、定期的に吸収した水分を排出させて飽和したデシカント材を再生する必要がある。この点、特許文献１には、デシカント材を空気通過可能な円板に担持させ、この円板（デシカントロータ）を湿った外気を通す除湿側空気通路と、再生のための熱風を通す再生側空気通路との間で回転させることにより、デシカント材の吸湿と再生とを連続的に行う技術が開示されている。
【先行技術文献】
【特許文献】
【０００４】
【特許文献１】特開２０１１−１１０９５１号公報
【発明の概要】
【発明が解決しようとする課題】
【０００５】
しかし、特許文献１に開示される技術は、空調装置の大掛かりな変更を必要とし、車両の重量アップ及びコストアップを招く。
【０００６】
本発明は、デシカント材を組み込んだ車両用空調制御装置における上記問題に対処するもので、既存の空調装置を大幅に変更することなくデシカント材を用いた除湿とデシカント材の再生が可能な車両用空調制御装置の提供を目的とする。
【課題を解決するための手段】
【０００７】
上記課題を解決するためのものとして、本発明は、車室内空間の空調を行う空調装置を制御する車両用空調制御装置であって、車室内空間の空気を取り入れる内気取入通路と、上記内気取入通路に接続された空調風通路と、上記空調風通路に接続された吹出口と、上記空調風通路内に配置されたブロアファンと、上記空調風通路内で上記ブロアファンの下流に配置された加熱手段と、上記空調風通路内で上記加熱手段の上流に配置され、所定の基準温度未満のときに空気中の水分を吸収し、上記基準温度以上のときに吸収した水分を排出するデシカント材と、上記空調風通路の上記加熱手段の上流部かつ上記ブロアファン及び上記デシカント材の下流部に接続され、車室内空間の空気を取り入れる再生時内気取入通路と、上記空調風通路の上記加熱手段の下流部と上記ブロアファン及び上記デシカント材の上流部とを連通する再生時温風通路と、上記空調風通路の上記再生時内気取入通路の上流部かつ上記ブロアファン及び上記デシカント材の下流部に接続され、上記デシカント材を通過した空気を車外空間に排出する再生時排湿通路と、内気循環により暖房を行うときは、上記内気取入通路を開き、上記再生時内気取入通路、上記再生時温風通路、及び上記再生時排湿通路を閉じ、所定の設定温度の空気が上記吹出口から車室内空間に吹き出されるように上記ブロアファン及び上記加熱手段を制御し、上記デシカント材を再生するときは、上記再生時内気取入通路、上記再生時温風通路、及び上記再生時排湿通路を開き、上記基準温度以上の空気が上記デシカント材に供給されるように上記ブロアファン及び上記加熱手段を制御する制御手段と、を有することを特徴とする（請求項１）。
【０００８】
本発明によれば、内気循環により暖房を行うときは、ブロアファンにより、車室内空間の空気が内気取入通路及び空調風通路を通過し、その間にデシカント材で除湿され、加熱手段で加熱されて、設定温度で車室内空間に吹き出され、再び内気取入通路に取り入れられる。一方、デシカント材を再生するときは、各通路の開閉状態が切り替わることにより空気の流路が切り替わり、ブロアファンにより、車室内空間の空気が再生時内気取入通路から空調風通路の中間部に入って加熱手段を通過し、加熱手段で加熱された後、再生時温風通路に入り、再生時温風通路を経由して空調風通路の上流部に入り、基準温度以上の空気がブロアファン及びデシカント材を通過して再生時排湿通路から車外空間に排出される。
【０００９】
デシカント材の再生時、加熱手段で加熱された空気はデシカント材に供給されるときに基準温度以上あるので、デシカント材は吸収した水分を排出する。排出された水分は空気と共に再生時排湿通路から車外空間に排出される。これによりデシカント材が再生される。しかも、デシカント材の再生時、ブロアファン及び加熱手段は内気循環の暖房時と同じものが使え、流路も空調風通路が利用できる。
【００１０】
以上により、本発明によれば、既存の空調装置を大幅に変更することなくデシカント材を用いた除湿とデシカント材の再生が可能な車両用空調制御装置が提供される。
【００１１】
本発明においては、車体後部に車室内空間と車外空間とを連通するエキストラクタが配置され、車体前部に上記再生時内気取入通路が配置されていることが好ましい（請求項２）。
【００１２】
この構成によれば、再生時内気取入通路がエキストラクタから比較的離れているので、デシカント材の再生時、エキストラクタを介して車室内空間に導入された車外空間の空気が車室内空間の空気に混じって再生時内気取入通路に取り入れられることが抑制される。これにより、雨天時等、車外空間の空気が湿度の高いときでもデシカント材の再生が安定して行われる。
【００１３】
本発明においては、車室内に乗員が存在しないことを検知する乗員不在検知手段を有し、上記制御手段は、上記乗員不在検知手段で車室内に乗員が存在しないことが検知されたときに上記デシカント材を再生することが好ましい（請求項３）。
【００１４】
デシカント材の再生時、内気循環の暖房が一時的に停止する。したがって、この構成によれば、乗員の空調フィーリングを低下させることなくデシカント材を再生することができる。
【発明の効果】
【００１５】
以上のように、本発明は、既存の空調装置を大幅に変更することなくデシカント材を用いた除湿とデシカント材の再生が可能な車両用空調制御装置を提供するので、除湿のためのデシカント材を組み込んだ空調装置を制御する車両用空調制御装置の技術の発展・向上に寄与する。
【図面の簡単な説明】
【００１６】
【図１】本発明の実施形態に係る車両用空調装置の全体構成を示すブロック図である（内気循環の暖房時）。
【図２】上記車両用空調装置に組み込んだデシカント材の吸湿・排湿特性を示すグラフである。
【図３】上記車両用空調装置の制御系統を示すブロック図である。
【図４】図１に類似のブロック図である（デシカント材の再生時）。
【図５】（ａ）及び（ｂ）はそれぞれ上記車両用空調装置の制御ユニットが行う制御動作の１例を示すフローチャートである。
【発明を実施するための形態】
【００１７】
（１）全体構成
図１は、本実施形態に係る車両１に搭載された空調装置１０の全体構成を示すブロック図である。本発明で「上流」「下流」というときは、特に断らない限り、空調装置１０における空気の流れに関していう。
【００１８】
（１−１）基本要素
空調装置１０は、車体１ａの前部に配置され、車体１ａの後部には、車室内空間１ｂと車外空間１ｃとを連通するエキストラクタ１ｄが配置されている。空調装置１０は、車室内空間２の空調を行うもので、車外空間１ｃの空気（以下「外気」ともいう）を空調装置１０に取り入れるための外気取入通路１１ａと、車室内空間１ｂの空気（以下「内気」ともいう）を空調装置１０に取り入れるための内気取入通路１１ｂとを有する。
【００１９】
外気取入通路１１ａ及び内気取入通路１１ｂの下流端にメインダクト通路１１ｃが接続され、メインダクト通路１１ｃの下流端に冷房用通路１１ｄ及び暖房用通路１１ｅが接続されている。メインダクト通路１１ｃ及び暖房用通路１１ｅは全体が本発明の空調風通路に相当する。
【００２０】
冷房用通路１１ｄ及び暖房用通路１１ｅの下流端に吹出口連絡通路１１ｆが接続されている。吹出口連絡通路１１ｆの下流端に、空調装置１０で冷却、加熱、又は除湿された空気（空調風）を車室内空間１ｂに吹き出すための複数の吹出口１１ｇが設けられている。詳しくは図示しないが、吹出口１１ｇとして、前席の乗員の上半身に向けて空調風を吹き出すベント吹出口、前席の乗員の足元に向けて空調風を吹き出すヒート吹出口、フロントウインドシールドの内面に向けて下方から上方に空調風を吹き出すデフロスタ吹出口、後席の乗員の上半身に向けて空調風を吹き出すリヤベント吹出口、及び後席の乗員の足元に向けて空調風を吹き出すリヤヒート吹出口等が設けられている。
【００２１】
メインダクト通路１１ｃ内に、上流側から、ブロアファン１２、及びエバポレータ１３が配置されている。暖房用通路１１ｅ内に、上流側から、ヒータコア１４、及びＰＴＣ（Ｐｏｓｉｔｉｖｅ  Ｔｅｍｐｅｒａｔｕｒｅ  Ｃｏｅｆｆｉｃｉｅｎｔ）ヒータ１５が配置されている。ヒータコア１４及びＰＴＣヒータ１５は本発明の加熱手段に相当する。
【００２２】
外気取入通路１１ａ及び内気取入通路１１ｂの下流端に内外気切替ダンパ１６が配設されている。内外気切替ダンパ１６は、外気取入通路１１ａを閉じる位置（内気循環位置）と内気取入通路１１ｂを閉じる位置（外気導入位置）との間の任意の位置に位置することが可能に構成されている。これにより、外気取入通路１１ａと内気取入通路１１ｂとの開度の割合が調節され、吹出口１１ｇから吹き出される空調風の外気と内気との混合比率が種々調節される。
【００２３】
ブロアファン１２は、内外気切替ダンパ１６の下流に配置され、駆動されることにより、外気取入通路１１ａ又は内気取入通路１１ｂから吹出口１１ｇに向けて流れる空調風を生成する。
【００２４】
エバポレータ１３は、冷房用の熱交換器であり、ブロアファン１２の下流に配置され、空調風を冷却する。
【００２５】
冷房用通路１１ｄ及び暖房用通路１１ｅの上流端に温度コントロールダンパ１７が配設されている。温度コントロールダンパ１７は、冷房用通路１１ｄを閉じる位置（暖房時位置）と暖房用通路１１ｅを閉じる位置（冷房時位置）との間の任意の位置に位置することが可能に構成されている。これにより、冷房用通路１１ｄと暖房用通路１１ｅとの開度の割合が調節され、吹出口１１ｇから吹き出される空調風の温度が種々調節される。
【００２６】
ヒータコア１４は、暖房用の熱交換器であり、温度コントロールダンパ１７の下流に配置され、空調風を加熱する。ヒータコア１４は、暖房用の熱源として利用し得るエンジン冷却水がその内部を循環する。
【００２７】
ＰＴＣヒータ１５もまた、暖房用の熱交換器であり、ヒータコア１４の下流に配置され、ヒータコア１４で加熱された空調風をさらに加熱する。ＰＴＣヒータ１５は、電力の供給を受けて作動する電気式ヒータであり、図示しないＰＴＣ素子（正特性サーミスタ）に電力が供給されることによって発熱する。ＰＴＣヒータ１５は、作動時に発熱して温度が上昇すると抵抗値が増大して電流量を抑制する自己温度制御機能を有する。一方、ＰＴＣヒータ１５は、非作動時に温度が低下すると抵抗値が減少して電流が流れ易くなり、そのため、冷間始動時は多量の電流（突入電流）が流れるという性質を有する。
【００２８】
本実施形態に係る車両１は、熱効率の高いエンジン（図示せず）を搭載している。そのため、燃費性能に優れる反面、発熱量が少ないので、ヒータコア１４を循環するエンジン冷却水の温度が相対的に低くなる。そのため、ヒータコア１４だけでは暖房用の熱源として不足するので、それを補うために、追加の暖房用熱源としてＰＣＴヒータ１５が用いられている。
【００２９】
（１−２）付加要素
以上の基本要素に加えて、空調装置１０は、以下の付加要素を有する。
【００３０】
メインダクト通路１１ｃ内で、ブロアファン１２の上流に、除湿のためのデシカント材２１が配設されている。デシカント材２１については後述する。
【００３１】
暖房用通路１１ｅの上流端に再生時内気取入通路２２が接続されている。再生時内気取入通路２２は、デシカント材２１の再生時に、車室内空間１ｂの空気を空調装置１０に取り入れるためのものである。再生時内気取入通路２２の接続部に再生時内気取入通路２２を開閉する再生時内気取入ダンパ２５が配設されている。
【００３２】
暖房用通路１１ｅの下流端に再生時温風通路２３の上流端が接続されている。再生時温風通路２３の下流端は、メインダクト通路１１ｃの上流端に接続されている。再生時温風通路２３は、デシカント材２１の再生時に、ヒータコア１４及びＰＴＣヒータ１５で加熱された空気をデシカント材２１に供給するためのものである。再生時温風通路２３の上流端の接続部に再生時温風通路２３を開閉する再生時温風ダンパ２６が配設されている。再生時温風ダンパ２６は、再生時温風通路２３を閉じたときは吹出口連絡通路１１ｆを開き（図１の状態）、再生時温風通路２３を開いたときは吹出口連絡通路１１ｆを閉じる（図４の状態）ように構成されている。
【００３３】
メインダクト通路１１ｃのブロアファン１２とエバポレータ１３との間の部分に再生時排湿通路２４が接続されている。再生時排湿通路２４は、デシカント材２１の再生時に、デシカント材２１を通過した空気を車外空間１ｃに排出するためのものである。再生時排湿通路２４の接続部に再生時排湿通路２４を開閉する再生時排湿ダンパ２７が配設されている。再生時排湿ダンパ２７は、再生時排湿通路２４を閉じたときはメインダクト通路１１ｃを再生時排湿通路２４とエバポレータ１３との間で開き（図１の状態）、再生時排湿通路２４を開いたときはメインダクト通路１１ｃを再生時排湿通路２４とエバポレータ１３との間で閉じる（図４の状態）ように構成されている。
【００３４】
メインダクト通路１１ｃ内で、デシカント材２１の上流に、温度センサ３１が配設されている。
【００３５】
（２）デシカント材
本実施形態で用いられるデシカント材２１は、所定の基準温度未満のときに空気中の水分を吸収（吸湿）し、上記基準温度以上のときに吸収した水分を排出（排湿）するという性質を有する。上記基準温度は吸排湿反転温度ということができる。
【００３６】
図２は、上記デシカント材２１の吸湿・排湿特性を示すグラフである。図中、実線Ａは、デシカント材２１に供給される空気の温度（インプット温度）の時間変化を示し、破線Ｂは、デシカント材２１を通過した空気の温度（アウトプット温度）の時間変化を示す。
【００３７】
インプット温度Ａが基準温度Ｔａ以上のとき（Ａ≧Ｔａ）は、デシカント材２１は排湿しており再生中である。インプット温度Ａが基準温度Ｔａ未満のとき（Ａ＜Ｔａ）は、デシカント材２１は吸湿中である。
【００３８】
デシカント材２１は、吸湿中は発熱する。したがって、デシカント材２１の吸湿中は、インプット温度Ａよりもアウトプット温度Ｂが高くなる（Ｂ＞Ａ）。
【００３９】
デシカント材２１は、飽和すると発熱が止まる。したがって、デシカント材２１が飽和すると、インプット温度Ａとアウトプット温度Ｂとは略等しくなる（Ｂ≒Ａ）。
【００４０】
本実施形態で用いられるデシカント材２１としては、例えば、シリカゲル、ポリアクリル酸高分子等、所定の基準温度未満のときに吸湿し、上記基準温度以上のときに排湿するという性質を有するものであれば、特に限定されない。
【００４１】
（３）制御系統
図３は、上記車両用空調装置１０の制御系統を示すブロック図である。
【００４２】
制御ユニット１００は、ＣＰＵ、ＲＯＭ、ＲＡＭ等を含む周知の構成のマイクロプロセッサであり、本発明の制御手段に相当する。
【００４３】
制御ユニット１００は、空調装置１０の操作盤３０、上記温度センサ３１、エンジンのイグニッションスイッチ３２、車室内に乗員が存在しないことを検知する車内不在センサ（本発明の乗員不在検知手段に相当）３３、及び車両１のドアロックがされていることを検知するドアロックセンサ３４から、それぞれ各信号を入力する。車内不在センサとしては、例えば、乗員が着座するシートの荷重を検出するものや、シートベルトの引き出しを検出するもの等が挙げられる。
【００４４】
制御ユニット１００は、上記各信号等に基いて、上記空調装置１０のブロアファン１２、エバポレータ１３、ＰＴＣヒータ１５、及び各ダンパ１６，１７，２５，２６，２７に、それぞれ制御信号を出力する。
【００４５】
（４）制御動作
（４−１）内気循環の暖房時
内気循環の暖房時、制御ユニット１００は、図１に示すように、内外気切替ダンパ１６を内気循環位置に位置させ、再生時排湿ダンパ２７をメインダクト通路１１ｃが開く位置に位置させ、温度コントロールダンパ１７を暖房時位置に位置させ、再生時内気取入ダンパ２５を再生時内気取入通路２２が閉じる位置に位置させ、再生時温風ダンパ２６を再生時温風通路２３が閉じる位置に位置させる。これにより、内気取入通路１１ｂ、メインダクト通路１１ｃ、暖房用通路１１ｅ、及び吹出口連絡通路１１ｆが開く。一方、再生時内気取入通路２２、再生時温風通路２３、及び再生時排湿通路２４が閉じる。
【００４６】
その上で、制御ユニット１００は、空調装置操作盤３０からの設定信号に応じた強さでブロアファン１２を駆動し、空調装置操作盤３０からの設定信号に応じた電力でＰＴＣヒータ１５を作動させる。これにより、車室内空間１ｂの空気が、内気取入通路１１ｂ、メインダクト通路１１ｃ、暖房用通路１１ｅ、及び吹出口連絡通路１１ｆを通過し、その間にデシカント材２１で除湿され、ヒータコア１４及びＰＴＣヒータ１５で加熱されて、乗員が空調装置操作盤３０を操作して設定した温度の空調風が吹出口１１ｇから車室内空間１ｂに吹き出され、再び内気取入通路１１ｂに取り入れられる。
【００４７】
このときの空気の流れのルートを内気循環暖房時ルートＲ１とする。
【００４８】
（４−２）デシカント材の再生時
デシカント材２１の再生時、制御ユニット１００は、図４に示すように、内外気切替ダンパ１６を内気循環位置に位置させ、再生時排湿ダンパ２７をメインダクト通路１１ｃが再生時排湿通路２４とエバポレータ１３との間で閉じる位置に位置させ、温度コントロールダンパ１７を暖房時位置に位置させ、再生時内気取入ダンパ２５を再生時内気取入通路２２が開く位置に位置させ、再生時温風ダンパ２６を吹出口連絡通路１１ｆが閉じる位置に位置させる。これにより、再生時内気取入通路２２、暖房用通路１１ｅ、再生時温風通路２３、メインダクト通路１１ｃにおけるエバポレータ１３より上流側の部分、及び再生時排湿通路２４が開く。一方、メインダクト通路１１ｃにおけるエバポレータ１３より下流側の部分、及び吹出口連絡通路１１ｆが閉じる。
【００４９】
その上で、制御ユニット１００は、デシカント材２１の状態（例えば吸湿量）に応じた強さでブロアファン１２を駆動し、デシカント材２１の基準温度Ｔａに応じた電力でＰＴＣヒータ１５を作動させる。これにより、車室内空間１ｂの空気が、再生時内気取入通路２２、暖房用通路１１ｅ、再生時温風通路２３、メインダクト通路１１ｃにおけるエバポレータ１３より上流側の部分、及び再生時排湿通路２４を通過し、その間にヒータコア１４及びＰＴＣヒータ１５で加熱されて、基準温度Ｔａ以上の空気がデシカント材２１に供給され、デシカント材２１を通過して、再生時排湿通路２４から車外空間１ｃに排出される。
【００５０】
このときの空気の流れのルートをデシカント材再生時ルートＲ２とする。
【００５１】
デシカント材２１の再生時、制御ユニット１００は、温度センサ３１により、デシカント材２１に供給されるインプット温度を検出し、インプット温度が基準温度Ｔａ以上に維持されるようにＰＴＣヒータ１５をフィードバック制御する。
【００５２】
なお、デシカント材２１の再生時、車室内空間１ｂの空気が車外空間１ｃに排出されるので、それを補うために、エキストラクタ１ｄが開いて、車外空間１ｃの空気が車室内空間１ｂに導入される。
【００５３】
（４−３）フローチャート−動作例１
図５（ａ）は上記制御ユニット１０が行う制御動作の１例を示すフローチャートである。
【００５４】
制御ユニット１０は、ステップＳ１で、イグニッションスイッチ３２がオン、又は車内不在センサ３３が乗員を検知し、かつ、空調装置１０がオンか否かを判定する。
【００５５】
その結果、ＹＥＳのときは、ステップＳ２で、送風モード（例えば上記内気循環の暖房）を実行する。
【００５６】
次いで、ステップＳ３で、デシカント材２１が飽和、かつ、車内不在センサ３３が乗員を検知しないか否かを判定する。ここで、デシカント材２１が飽和か否かは、例えば、上述したように、デシカント材２１のインプット温度Ａとアウトプット温度Ｂとが略等しいか否かにより判定できる。
【００５７】
その結果、ＮＯのときは、ステップＳ２に戻り（送風モードの継続）、ＹＥＳのときは、ステップＳ４で、再生モード（すなわち上記デシカント材２１の再生）を実行する（再生モードへの切替え）。
【００５８】
具体的に、ステップＳ５に示すように、上述したように、各ダンパ１６，１７，２５，２６，２７の位置を切り替え、ブロアファン１２の駆動を開始し、ＰＴＣヒータ１５によるインプット温度のフィードバック制御を実行する。
【００５９】
次いで、ステップＳ６で、所定の再生時間が経過し、又は所定の再生停止条件が発生したか否かを判定する。ここで、所定の再生停止条件とは、例えば、ドアロックセンサ３４がロックされていたドアのアンロックを検知したこと等が挙げられる。
【００６０】
その結果、ＮＯのときは、ステップＳ４に戻り（再生モードの継続）、ＹＥＳのときは、ステップＳ２に戻る（送風モードへの切替え）。
【００６１】
以上により、このフローチャートによれば、再生モードは、車室内に乗員が存在しないときに限って行われる。
【００６２】
（４−４）フローチャート−動作例２
図５（ｂ）は上記制御ユニット１０が行う制御動作の他の例を示すフローチャートである。
【００６３】
制御ユニット１０は、ステップＳ１１で、イグニッションスイッチ３２がオフ、かつ、車内不在センサ３３が乗員を検知しない、又はドアロックセンサ３４がドアロックを検知したか否かを判定する。
【００６４】
その結果、ＹＥＳのときは、ステップＳ１２で、再生モード（すなわち上記デシカント材２１の再生）を実行する（再生モードの開始）。
【００６５】
具体的に、ステップＳ１３に示すように、上述したように、各ダンパ１６，１７，２５，２６，２７の位置を切り替え、ブロアファン１２の駆動を開始し、ＰＴＣヒータ１５によるインプット温度のフィードバック制御を実行する。
【００６６】
次いで、ステップＳ１４で、所定の再生時間が経過し、又は所定の再生停止条件が発生したか否かを判定する。ここで、所定の再生停止条件とは、例えば、ドアロックセンサ３４がロックされていたドアのアンロックを検知したこと等が挙げられる。
【００６７】
その結果、ＮＯのときは、ステップＳ１２に戻り（再生モードの継続）、ＹＥＳのときは、ステップＳ１５で再生モードを終了する。
【００６８】
以上により、このフローチャートによっても、再生モードは、車室内に乗員が存在しないときに限って行われる。
【００６９】
（５）作用等
以上説明したように、本実施形態では、車室内空間１ｂの空調を行う空調装置１０を制御する車両用空調制御装置において、次のような特徴的構成が採用されている。
【００７０】
空調装置１０の基本要素として、車室内空間１ｂの空気を取り入れる内気取入通路１１ｂと、上記内気取入通路１１ｂに接続されたメインダクト通路１１ｃ及び暖房用通路１１ｅと、上記暖房用通路１１ｅに接続された吹出口連絡通路１１ｆと、上記吹出口連絡通路１１ｆに設けられた吹出口１１ｇと、上記メインダクト通路１１ｃ内に配置されたブロアファン１２と、上記暖房用通路１１ｅ内に配置されたヒータコア１４及びＰＴＣヒータ１５とが備えられている。
【００７１】
空調装置１０の付加要素として、上記メインダクト通路１１ｃ内で上記ブロアファン１２の上流に配置され、所定の基準温度Ｔａ未満のときに空気中の水分を吸収し、上記基準温度Ｔａ以上のときに吸収した水分を排出するデシカント材２１と、上記暖房用通路１１ｅの上流端に接続され、車室内空間１ｂの空気を取り入れる再生時内気取入通路２２と、上記暖房用通路１１ｅの下流端と上記メインダクト通路１１ｃの上流端とを連通する再生時温風通路２３と、上記メインダクト通路１１ｃのエバポレータ１３の上流部かつ上記ブロアファン１２の下流部に接続され、上記デシカント材２１を通過した空気を車外空間１ｃに排出する再生時排湿通路２４とが備えられている。
【００７２】
その上で、制御ユニット１００が備えられ、制御ユニット１００は、内気循環により暖房を行うときは、上記内気取入通路１１ｂを開き、上記再生時内気取入通路２２、上記再生時温風通路２３、及び上記再生時排湿通路２４を閉じ、所定の設定温度の空気が上記吹出口１１ｇから車室内空間１ｂに吹き出されるように上記ブロアファン１２及び上記ＰＴＣヒータ１５を制御し、一方、上記デシカント材２１を再生するときは、上記再生時内気取入通路２２、上記再生時温風通路２３、及び上記再生時排湿通路２４を開き、上記デシカント材２１の基準温度Ｔａ以上の空気が上記デシカント材２１に供給されるように上記ブロアファン１２及び上記ＰＴＣヒータ１５を制御する。
【００７３】
この構成によれば、内気循環により暖房を行うときは、ブロアファン１２により、車室内空間１ｂの空気が内気取入通路１１ｂ、メインダクト通路１１ｃ、及び暖房用通路１１ｅを通過し、その間にデシカント材２１で除湿され、ヒータコア１４及びＰＴＣヒータ１５で加熱されて、設定温度で車室内空間１ｂに吹き出され、再び内気取入通路１１ｂに取り入れられる。一方、デシカント材２１を再生するときは、各通路１１ｂ，１１ｃ，１１ｅ，１１ｆ，２２，２３，２４の開閉状態が切り替わることにより空気の流路が切り替わり、ブロアファン１２により、車室内空間１ｂの空気が再生時内気取入通路２２から暖房用通路１１ｅの上流端に入ってヒータコア１４及びＰＴＣヒータ１５を通過し、ヒータコア１４及びＰＴＣヒータ１５で加熱された後、再生時温風通路２３に入り、再生時温風通路２３を経由してメインダクト通路１１ｃの上流端に入り、デシカント材２１の基準温度Ｔａ以上の空気がデシカント材２１及びブロアファン１２を通過して再生時排湿通路２４から車外空間１ｃに排出される。
【００７４】
デシカント材の再生時、ヒータコア１４及びＰＴＣヒータ１５で加熱された空気はデシカント材２１に供給されるときに基準温度Ｔａ以上あるので、デシカント材２１は吸収した水分を排出する。排出された水分は空気と共に再生時排湿通路２４から車外空間１ｃに排出される。これによりデシカント材２１が再生される。しかも、デシカント材２１の再生時、ブロアファン１２、ヒータコア１４、及びＰＴＣヒータ１５は内気循環の暖房時と同じものが使え、流路もメインダクト通路１１ｃ及び暖房用通路１１ｅが利用できる。
【００７５】
以上により、本実施形態によれば、既存の空調装置１０を大幅に変更することなくデシカント材２１を用いた除湿とデシカント材２１の再生が可能な車両用空調制御装置が提供される。
【００７６】
本実施形態では、車体１ａの後部に車室内空間１ｂと車外空間１ｃとを連通するエキストラクタ１ｄが配置され、車体１ａの前部に上記再生時内気取入通路２２が配置されている。
【００７７】
この構成によれば、再生時内気取入通路２２がエキストラクタ１ｄから比較的離れているので、デシカント材２１の再生時、エキストラクタ１ｄを介して車室内空間１ｂに導入された車外空間１ｃの空気が車室内空間１ｂの空気に混じって再生時内気取入通路２２に取り入れられることが抑制される。これにより、雨天時等、車外空間１ｃの空気が湿度の高いときでもデシカント材２１の再生が安定して行われる。
【００７８】
本実施形態では、車室内に乗員が存在しないことを検知する車内不在センサ３３を有し、上記制御ユニット１００は、上記車内不在センサ３３で車室内に乗員が存在しないことが検知されたとき（図５のステップＳ３，Ｓ１１でＹＥＳ）に、上記デシカント材２１を再生する。
【００７９】
デシカント材２１の再生時、内気循環の暖房が一時的に停止する。したがって、この構成によれば、乗員の空調フィーリングを低下させることなくデシカント材２１を再生することができる。
【００８０】
なお、ＰＴＣヒータ１５に代えて、例えば電熱式ヒータや遠赤外線ヒータ等を用いてもよい。
【００８１】
また、デシカント材２１をブロアファン１２の下流かつ再生時排湿通路２４の上流に配設してもよい。
【００８２】
また、デシカント材２１の再生時、内外気切替ダンパ１６とは別の手段を用いて、内気取入通路１１ｂを閉じてもよい。
【符号の説明】
【００８３】
１      車両
１ｂ    車室内空間
１ｃ    車外空間
１ｄ    エキストラクタ
１０    車両用空調装置
１１ｂ  内気取入通路
１１ｃ  メインダクト通路（空調風通路）
１１ｅ  暖房用通路（空調風通路）
１１ｆ  吹出口連絡通路
１２    ブロアファン
１４    ヒータコア（加熱手段）
１５    ＰＴＣヒータ（加熱手段）
１６    内外気切替ダンパ
１７    温度コントロールダンパ
２１    デシカント材
２２    再生時内気取入通路
２３    再生時温風通路
２４    再生時排湿通路
２５    再生時内気取入ダンパ
２６    再生時温風ダンパ
２７    再生時排湿ダンパ
３３    車内不在センサ（乗員不在検知手段）
１００  制御ユニット（制御手段）
Ｔａ    基準温度（吸排湿反転温度）
【図１】
2015085769.tif 000003
【図２】
2015085769.tif 000004
【図３】
2015085769.tif 000005
【図４】
2015085769.tif 000006
【図５】
2015085769.tif 000007